【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
筐体（１０）と、
前記筐体の内部に配置され、空気を送風する送風機（３０、３１）と、
冷媒を圧縮して吐出する圧縮機（２１）と、前記送風機で送風された空気に対して、前記圧縮機から吐出された高圧冷媒を放熱させて加熱する凝縮器（２２）と、前記凝縮器から流出した冷媒を減圧させる減圧部（２３）と、前記減圧部にて減圧された低圧冷媒を蒸発させて、前記送風機で送風された空気を冷却する蒸発器（２４）とを有し、前記筐体の内部に収容された冷凍サイクル装置（２０）と、
前記凝縮器にて加熱された空気からなる温風（ＷＡ）の流れに関し、当該温風を空調対象空間へ導く通風路と、当該温風を前記空調対象空間の外部へ導く通風路とを切り替える温風用切替部（３５）と、
前記蒸発器にて冷却された空気からなる冷風（ＣＡ）の流れに関し、当該冷風を前記空調対象空間へ導く通風路と、当該冷風を前記空調対象空間の外部へ導く通風路とを切り替える冷風用切替部（４０）と、を有し、
前記凝縮器及び前記蒸発器は、前記筐体の内部において間隔をあけて配置されており、
前記温風用切替部は、前記凝縮器と前記蒸発器の間における前記凝縮器の側に配置されると共に、
前記冷風用切替部は、前記凝縮器と前記蒸発器の間における前記蒸発器の側に配置され、
前記凝縮器の熱交換部（２２Ａ）は、その長手方向が予め定められた所定方向になるように配置されており、
前記温風用切替部は、
前記温風を前記空調対象空間へ導く通風路に配置された温風供給用開口（３６）と、
前記温風を前記空調対象空間の外部へ導く通風路に配置された温風排気用開口（３７）と、を有し、
前記温風供給用開口と前記温風排気用開口は、前記所定方向に並んで配置され、
前記凝縮器、前記温風用切替部、前記冷風用切替部、前記蒸発器が並ぶ方向を並列方向とし、前記並列方向に直交する方向を直交方向と定義した場合に、
前記温風供給用開口及び前記温風排気用開口の開口縁において、予め定められた特定部位と、前記特定部位に対して開口を介して対向する対向部位は、前記直交方向に異なる位置に配置されている空調装置。
【請求項２】
前記送風機は、前記温風の流れに関して、前記凝縮器、前記温風用切替部の順番で通過した空気を吸い込んで送風するように配置されている請求項１に記載の空調装置。
【請求項３】
前記蒸発器の熱交換部（２４Ａ）は、その長手方向が予め定められた所定方向になるように配置されており、
前記冷風用切替部は、
前記冷風を前記空調対象空間へ導く通風路に配置された冷風供給用開口（４１）と、
前記冷風を前記空調対象空間の外部へ導く通風路に配置された冷風排気用開口（４２）と、を有し、
前記冷風供給用開口と前記冷風排気用開口は、前記所定方向に並んで配置されている請求項１又は２に記載の空調装置。
【請求項４】
前記凝縮器、前記温風用切替部、前記冷風用切替部、前記蒸発器が並ぶ方向を並列方向とし、前記並列方向に直交する方向を直交方向と定義した場合に、
前記冷風供給用開口及び前記冷風排気用開口の開口縁において、予め定められた特定部位と、前記特定部位に対して開口を介して対向する対向部位は、前記直交方向に異なる位置に配置されている請求項３に記載の空調装置。
【請求項５】
筐体（１０）と、
前記筐体の内部に配置され、空気を送風する送風機（３０、３１）と、
冷媒を圧縮して吐出する圧縮機（２１）と、前記送風機で送風された空気に対して、前記圧縮機から吐出された高圧冷媒を放熱させて加熱する凝縮器（２２）と、前記凝縮器から流出した冷媒を減圧させる減圧部（２３）と、前記減圧部にて減圧された低圧冷媒を蒸発させて、前記送風機で送風された空気を冷却する蒸発器（２４）とを有し、前記筐体の内部に収容された冷凍サイクル装置（２０）と、
前記凝縮器にて加熱された空気からなる温風（ＷＡ）の流れに関し、当該温風を空調対象空間へ導く通風路と、当該温風を前記空調対象空間の外部へ導く通風路とを切り替える温風用切替部（３５）と、
前記蒸発器にて冷却された空気からなる冷風（ＣＡ）の流れに関し、当該冷風を前記空調対象空間へ導く通風路と、当該冷風を前記空調対象空間の外部へ導く通風路とを切り替える冷風用切替部（４０）と、を有し、
前記凝縮器及び前記蒸発器は、前記筐体の内部において間隔をあけて配置されており、
前記温風用切替部は、前記凝縮器と前記蒸発器の間における前記凝縮器の側に配置されると共に、
前記冷風用切替部は、前記凝縮器と前記蒸発器の間における前記蒸発器の側に配置され、
前記蒸発器の熱交換部（２４Ａ）は、その長手方向が予め定められた所定方向になるように配置されており、
前記冷風用切替部は、
前記冷風を前記空調対象空間へ導く通風路に配置された冷風供給用開口（４１）と、
前記冷風を前記空調対象空間の外部へ導く通風路に配置された冷風排気用開口（４２）と、を有し、
前記冷風供給用開口と前記冷風排気用開口は、前記所定方向に並んで配置され、
前記凝縮器、前記温風用切替部、前記冷風用切替部、前記蒸発器が並ぶ方向を並列方向とし、前記並列方向に直交する方向を直交方向と定義した場合に、
前記冷風供給用開口及び前記冷風排気用開口の開口縁において、予め定められた特定部位と、前記特定部位に対して開口を介して対向する対向部位は、前記直交方向に異なる位置に配置されている空調装置。
【請求項６】
前記送風機は、前記冷風の流れに関して、前記蒸発器、前記冷風用切替部の順番で通過した空気を吸い込んで送風するように配置されている請求項４又は５に記載の空調装置。
【請求項７】
前記空調対象空間に対して供給される前記温風と前記冷風の風量割合を調整する供給側風量調整部（４６）と、
前記空調対象空間の外部へ送風される前記温風と前記冷風の風量割合を調整する排気側風量調整部（４７）と、を有し、
前記供給側風量調整部は、前記温風と前記冷風を混合して、前記空調対象空間に供給可能に構成され、
前記排気側風量調整部は、前記温風と前記冷風を混合して、前記空調対象空間の外部へ送風可能に構成されている請求項１ないし６の何れか１つに記載の空調装置。
【請求項８】
前記排気側風量調整部における前記冷風の風量割合を増大させるに伴って、前記供給側風量調整部は、前記空調対象空間に供給する空気における前記温風の風量割合を増大させる請求項７に記載の空調装置。
【請求項９】
前記排気側風量調整部における前記温風の風量割合を増大させるに伴って、前記供給側風量調整部は、前記空調対象空間に供給する空気における前記冷風の風量割合を増大させる請求項７又は８に記載の空調装置。
【請求項１０】
前記供給側風量調整部及び前記排気側風量調整部は、予め定められた経路に従ってスライド移動するスライドドア（４６、４７）をそれぞれ有し、前記スライドドアをスライド移動させることによって前記温風と前記冷風の風量割合を調整する請求項７ないし９の何れか１つに記載の空調装置。
【手続補正２】
【補正対象書類名】明細書
【補正対象項目名】０００９
【補正方法】変更
【補正の内容】
【０００９】
前記目的を達成するため、請求項１に記載の空調装置は、
筐体（１０）と、
筐体の内部に配置され、空気を送風する送風機（３０、３１）と、
冷媒を圧縮して吐出する圧縮機（２１）と、送風機で送風された空気に対して、圧縮機から吐出された高圧冷媒を放熱させて加熱する凝縮器（２２）と、凝縮器から流出した冷媒を減圧させる減圧部（２３）と、減圧部にて減圧された低圧冷媒を蒸発させて、送風機で送風された空気を冷却する蒸発器（２４）とを有し、筐体の内部に収容された冷凍サイクル装置（２０）と、
凝縮器にて加熱された空気からなる温風（ＷＡ）の流れに関し、当該温風を空調対象空間へ導く通風路と、当該温風を空調対象空間の外部へ導く通風路とを切り替える温風用切替部（３５）と、
蒸発器にて冷却された空気からなる冷風（ＣＡ）の流れに関し、当該冷風を空調対象空間へ導く通風路と、当該冷風を空調対象空間の外部へ導く通風路とを切り替える冷風用切替部（４０）と、を有し、
凝縮器及び蒸発器は、筐体の内部において間隔をあけて配置されており、
温風用切替部は、凝縮器と蒸発器の間における凝縮器の側に配置されると共に、
冷風用切替部は、凝縮器と蒸発器の間における蒸発器の側に配置され、
凝縮器の熱交換部（２２Ａ）は、その長手方向が予め定められた所定方向になるように配置されており、
温風用切替部は、
温風を空調対象空間へ導く通風路に配置された温風供給用開口（３６）と、
温風を空調対象空間の外部へ導く通風路に配置された温風排気用開口（３７）と、を有し、
温風供給用開口と温風排気用開口は、所定方向に並んで配置され、
凝縮器、温風用切替部、冷風用切替部、蒸発器が並ぶ方向を並列方向とし、並列方向に直交する方向を直交方向と定義した場合に、
温風供給用開口及び温風排気用開口の開口縁において、予め定められた特定部位と、特定部位に対して開口を介して対向する対向部位は、直交方向に異なる位置に配置されている。
【手続補正３】
【補正対象書類名】明細書
【補正対象項目名】００１２
【補正方法】変更
【補正の内容】
【００１２】
そして、当該空調装置において、凝縮器及び蒸発器は、筐体の内部において間隔をあけて配置されており、温風用切替部及び冷風用切替部は、凝縮器と蒸発器の間に配置されている。
これにより、当該空調装置によれば、凝縮器と蒸発器の間には、温風用切替部、冷風用切替部が配置される間隔が形成される為、凝縮器における通風抵抗、蒸発器における通風抵抗を低減させることができる。即ち、当該空調装置によれば、冷凍サイクル装置や送風機等の構成を筐体内部にコンパクトに収容しつつ、凝縮器、蒸発器に係る通風抵抗を低減させることができる。
又、凝縮器の熱交換部は、その長手方向が予め定められた所定方向になるように配置されている。そして、温風用切替部は、温風供給用開口と、温風排気用開口と、を有しており、温風供給用開口と温風排気用開口は、所定方向に並んで配置されている。これにより、凝縮器の熱交換部を通過した温風の流れに関して、温風供給用開口及び温風排気用開口を通過する際の通風抵抗を低減しつつ、それぞれを通過可能な温風の風量を確保することができる。
更に、凝縮器、温風用切替部、冷風用切替部、蒸発器が並ぶ方向を並列方向とし、並列方向に直交する方向を直交方向と定義した場合に、温風供給用開口及び温風排気用開口の開口縁において、予め定められた特定部位と、特定部位に対して開口を介して対向する対向部位は、直交方向に異なる位置に配置されている。これにより、温風供給用開口及び温風排気用開口の開口面積は、通風路を横断するように温風供給用開口等を形成した場合の開口面積よりも大きくなる。従って、温風供給用開口及び温風排気用開口を通過する際の通風抵抗を低減することができる。
【手続補正４】
【補正対象書類名】明細書
【補正対象項目名】００１３
【補正方法】変更
【補正の内容】
【００１３】
又、請求項５に記載の空調装置は、
筐体（１０）と、
筐体の内部に配置され、空気を送風する送風機（３０、３１）と、
冷媒を圧縮して吐出する圧縮機（２１）と、送風機で送風された空気に対して、圧縮機から吐出された高圧冷媒を放熱させて加熱する凝縮器（２２）と、凝縮器から流出した冷媒を減圧させる減圧部（２３）と、減圧部にて減圧された低圧冷媒を蒸発させて、送風機で送風された空気を冷却する蒸発器（２４）とを有し、筐体の内部に収容された冷凍サイクル装置（２０）と、
凝縮器にて加熱された空気からなる温風（ＷＡ）の流れに関し、当該温風を空調対象空間へ導く通風路と、当該温風を空調対象空間の外部へ導く通風路とを切り替える温風用切替部（３５）と、
蒸発器にて冷却された空気からなる冷風（ＣＡ）の流れに関し、当該冷風を空調対象空間へ導く通風路と、当該冷風を空調対象空間の外部へ導く通風路とを切り替える冷風用切替部（４０）と、を有し、
凝縮器及び蒸発器は、筐体の内部において間隔をあけて配置されており、
温風用切替部は、凝縮器と蒸発器の間における凝縮器の側に配置されると共に、
冷風用切替部は、凝縮器と蒸発器の間における蒸発器の側に配置され、
蒸発器の熱交換部（２４Ａ）は、その長手方向が予め定められた所定方向になるように配置されており、
冷風用切替部は、
冷風を空調対象空間へ導く通風路に配置された冷風供給用開口（４１）と、
冷風を空調対象空間の外部へ導く通風路に配置された冷風排気用開口（４２）と、を有し、
冷風供給用開口と冷風排気用開口は、所定方向に並んで配置され、
凝縮器、温風用切替部、冷風用切替部、蒸発器が並ぶ方向を並列方向とし、並列方向に直交する方向を直交方向と定義した場合に、
冷風供給用開口及び冷風排気用開口の開口縁において、予め定められた特定部位と、特定部位に対して開口を介して対向する対向部位は、直交方向に異なる位置に配置されている。
これにより、空調装置は、請求項１に係る空調装置と同様の構成から、請求項１と同様の効果を発揮する。又、そして、蒸発器の熱交換部は、その長手方向が予め定められた所定方向になるように配置されている。又、冷風用切替部は、冷風供給用開口と、冷風排気用開口とを有しており、冷風供給用開口及び冷風排気用開口は、所定方向に並んで配置されている。これにより、蒸発器の熱交換部を通過した冷風の流れに関して、冷風供給用開口及び冷風排気用開口を通過する際の通風抵抗を低減しつつ、それぞれを通過可能な冷風の風量を確保することができる。
更に、凝縮器、温風用切替部、冷風用切替部、蒸発器が並ぶ方向を並列方向とし、並列方向に直交する方向を直交方向と定義した場合に、冷風供給用開口及び冷風排気用開口の開口縁において、予め定められた特定部位と、特定部位に対して開口を介して対向する対向部位は、直交方向に異なる位置に配置されている。これにより、当該冷風供給用開口及び冷風排気用開口の開口面積は、通風路を横断するように冷風供給用開口等を形成した場合の開口面積よりも大きくなる。従って、冷風供給用開口及び冷風排気用開口を通過する際の通風抵抗を低減することができる。